(57)【要約】【課題】小形でかつ雰囲気温度が低い状況下でも霧の噴射量が不足しない霧噴射装置を提供する。【解決手段】容器６に収容される噴射液１３を、噴射器８で噴射口２２に供給することによって、中途部において加熱器７で加熱、霧化し、霧を噴射する。加熱室２０の温度が第１設定温度から第２設定温度に低下するまで、霧を噴射するように、制御基板１０によって制御される。これによって噴射液の粘度に拘わらず、霧の噴射量をほぼ一定に保つことができ、霧の噴射量が不足することを防止できる。しかも必要不可欠な構成を用いて、前記効果を達成しており、たとえば別途に容器６を保温する手段を設けるなどの構成の複雑化を防ぎ、簡単かつ小形の構成で、雰囲気温度に拘わらず、安定した噴射量の霧を噴射することができる。【選択図】      図１
2004321999.tif 000002
【特許請求の範囲】
【請求項１】
噴射液が収容される容器と、
加熱室を有し、加熱室の温度が、噴射液を霧化可能な第１設定温度に保持されている加熱手段と、
容器に収容される噴射液を、加熱室を通過させて噴射口から噴射させる噴射手段と、
加熱室の温度を検出する温度検出手段と、
予め定める噴射条件を満たしたとき、加熱室の温度が第１設定温度よりも低くかつ噴射液を霧化可能な第２設定温度に低下するまで噴射液を噴射するように、噴射手段を制御する制御手段とを含むことを特徴とする霧噴射装置。
【請求項２】
噴射液が収容される容器と、
加熱室形成体によって形成される加熱室を有し、加熱室で噴射液を霧化するように加熱する加熱手段と、
容器に収容される噴射液を、加熱室を通過させて噴射口から噴射させる噴射手段と、
予め定める噴射条件を満たしたとき、予め設定される噴射時間にわたって噴射液を噴射するように、噴射手段を制御する制御手段とを含み、
容器は、加熱室および加熱室形成体のいずれか一方に設けられることを特徴とする霧噴射装置。
【請求項３】
噴射液が収容される容器と、
加熱室形成体によって形成される加熱室を有し、加熱室で噴射液を霧化するように加熱する加熱手段と、
容器に収容される噴射液を、加熱室を通過させて噴射口から噴射させる噴射手段と、
予め定める噴射条件を満たしたとき、予め設定される噴射時間にわたって噴射液を噴射するように、噴射手段を制御する制御手段とを含み、
噴射手段は、容器から噴射口まで噴射液を導くための輸送管路と、輸送管路の中途部に介在され、容器から噴射液を吸込んで噴射口に向けて吐出する輸送源とを有し、輸送管路の輸送源よりも噴射口側の管路部は、加熱室に配置されて噴射液を霧化するための霧化部分を有し、輸送管路の輸送源よりも容器側の管路部は、少なくとも加熱室および加熱室形成体の前記一方と、容器との間の部の内径が噴射孔側の部分の内径より大きく形成され中途部で加熱室および加熱室形成体のいずれか一方を通過するように設けられ、少なくとも加熱室および加熱室形成体の前記一方と、容器との間の部の内径が噴射孔側の部分の内径より大きく形成されることを特徴とする霧噴射装置。
【請求項４】
外部空間との間の熱の移動が抑制される第１空間、および外部空間との間の熱の移動が容易である第２空間が形成されるハウジングと、
第１空間に配置され、噴射液が収容される容器と、
第１空間に配置され、加熱室を有し、加熱室で噴射液を霧化するように加熱する加熱手段と、
第１空間に配置され、容器に収容される噴射液を、加熱室を通過させて噴射口から噴射させる噴射手段と、
第２空間に配置され、予め定める噴射条件を満たしたとき、予め設定される噴射時間にわたって噴射液を噴射するように、噴射手段を制御する制御手段とを含むことを特徴とする霧噴射装置。
【請求項５】
噴射液が収容される容器と、
加熱室を有し、加熱室で噴射液を霧化するように加熱する加熱手段と、
容器に収容される噴射液を、加熱室を通過させて噴射口から噴射させる噴射手段と、
予め定める噴射条件を満たしたとき、予め設定される噴射時間にわたって噴射液を噴射するように、噴射手段を制御する制御手段と、
セラミックヒータを用いて構成され、容器内の噴射液を保温する保温手段とを含むことを特徴とする霧噴射装置。
【発明の詳細な説明】
【０００１】
【発明の属する技術分野】
本発明は、噴射液を霧状にして噴射する霧噴射装置に関する。
【０００２】
【従来の技術】
第１の従来技術として、防犯のために、所定の区域への不審者の侵入を感知すると、容器に収容された噴射液を、加熱器で加熱して霧化し、前記区域に噴射して視程を低下させる霧噴射装置が知られている。この霧噴射装置は、不審者の侵入を感知した時刻から、一定の時間、霧を噴射するように構成されている。このように一定の時間噴射する構成では、冬期など、雰囲気温度が低い状況下にある場合、噴射液の粘度が高くなって単位時間あたりの噴射量が低下して、全体としての霧の噴射量が低下し、視程の低下が不十分になってしまう場合がある。
【０００３】
このような不具合を解消することができる第２の従来の技術として、容器に収容された噴射液の粘度を低下させるために、前記加熱器とは別に保温器を設けて、この保温器で容器内の噴射液を加熱し保温する装置が知られている。この装置では、容器内の噴射液の温度を検出する温度センサを設け、検出温度に基づいて、容器内の噴射液の温度が一定に保持されるように構成されている（たとえば特許文献１参照）。
【０００４】
【特許文献１】
特開２００３−８５６６３号公報
【０００５】
【発明が解決しようとする課題】
このような第２の従来の技術では、霧の噴射量の低下を防ぐことができるかもしれないが、そのために保温器および温度センサを別途に設けなければならず、構成が複雑になり、装置が大形化してしまう。
【０００６】
本発明の目的は、小形でかつ雰囲気温度が低い状況下でも霧の噴射量が不足しない霧噴射装置を提供することである。
【０００７】
【課題を解決するための手段】
本発明は、噴射液が収容される容器と、
加熱室を有し、加熱室の温度が、噴射液を霧化可能な第１設定温度に保持されている加熱手段と、
容器に収容される噴射液を、加熱室を通過させて噴射口から噴射させる噴射手段と、
加熱室の温度を検出する温度検出手段と、
予め定める噴射条件を満たしたとき、加熱室の温度が第１設定温度よりも低くかつ噴射液を霧化可能な第２設定温度に低下するまで噴射液を噴射するように、噴射手段を制御する制御手段とを含むことを特徴とする霧噴射装置である。
【０００８】
本発明に従えば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。加熱室の温度は第１設定温度に保持されており、噴射手段は、予め定める噴射条件を満たしたときから、加熱室の温度が第２設定温度に低下するまで、噴射液の霧を噴射するように、制御手段によって制御される。これによって容器内の噴射液の粘度に依存して単位時間あたりの噴射量が変化しても、噴射液によって一定の熱量が加熱室から奪われるまで、噴射液の霧が噴射され、噴射開始から噴射停止までの間に噴射される霧の噴射量をほぼ一定に保つことができる。したがって雰囲気温度が低い状況下でも霧の噴射量が不足することを防止できる。しかも容器、加熱手段および噴射手段は、霧噴射装置に不可欠であることは言うまでもなく、温度検出手段および制御手段も、加熱手段による加熱制御および噴射液の噴射動作の制御に不可欠な構成であり、このような必要不可欠な手段を用いて、霧の噴射量の低下を防止することができる。つまり別途に容器を保温する手段を設けるなどの構成の複雑化を防ぎ、簡単かつ小形の構成で、雰囲気温度に拘わらず、安定した噴射量の霧を噴射することができる。
【０００９】
また本発明は、噴射液が収容される容器と、
加熱室形成体によって形成される加熱室を有し、加熱室で噴射液を霧化するように加熱する加熱手段と、
容器に収容される噴射液を、加熱室を通過させて噴射口から噴射させる噴射手段と、
予め定める噴射条件を満たしたとき、予め設定される噴射時間にわたって噴射液を噴射するように、噴射手段を制御する制御手段とを含み、
容器は、加熱室および加熱室形成体のいずれか一方に設けられることを特徴とする霧噴射装置である。
【００１０】
本発明に従えば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。容器は、加熱室および加熱室形成体のいずれか一方に配置されており、容器内の噴射液は、雰囲気温度に依存して温度が変化することなく、粘度が変化することがない。これによって一定時間、霧を噴射することによって、ほぼ一定の霧を噴射することができる。したがって雰囲気温度が低い状況下でも霧の噴射量が不足することを防止できる。しかも加熱手段は不可欠な構成であり、このような必要不可欠な手段を用いて、霧の噴射量の低下を防止することができる。つまり別途に容器を保温する手段を設けるなどの構成の複雑化を防ぎ、簡単かつ小形の構成で、雰囲気温度に拘わらず、安定した噴射量の霧を噴射することができる。
【００１１】
好ましくは、容器は、加熱室形成体に設けられ、これによって噴射液が高温になり過ぎることを防止することができる。また加熱室からの距離を選ぶことによって、噴射液の温度を設定することが可能であり、最適温度にすることができる。
【００１２】
また本発明は、噴射液が収容される容器と、
加熱室形成体によって形成される加熱室を有し、加熱室で噴射液を霧化するように加熱する加熱手段と、
容器に収容される噴射液を、加熱室を通過させて噴射口から噴射させる噴射手段と、
予め定める噴射条件を満たしたとき、予め設定される噴射時間にわたって噴射液を噴射するように、噴射手段を制御する制御手段とを含み、
噴射手段は、容器から噴射口まで噴射液を導くための輸送管路と、輸送管路の中途部に介在され、容器から噴射液を吸込んで噴射口に向けて吐出する輸送源とを有し、輸送管路の輸送源よりも噴射口側の管路部は、加熱室に配置されて噴射液を霧化するための霧化部分を有し、輸送管路の輸送源よりも容器側の管路部は、少なくとも加熱室および加熱室形成体の前記一方と、容器との間の部の内径が噴射孔側の部分の内径より大きく形成され中途部で加熱室および加熱室形成体のいずれか一方を通過するように設けられ、少なくとも加熱室および加熱室形成体の前記一方と、容器との間の部の内径が噴射孔側の部分の内径より大きく形成されることを特徴とする霧噴射装置である。
【００１３】
本発明に従えば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。噴射手段を構成する輸送管路は、輸送源よりも容器側の管路部の少なくとも容器寄りの部分の内径が大きく形成されており、容器内の噴射液の粘度が低くても輸送に対する抵抗を小さくすることができる。このような容器側の管路部を経て、噴射液を一旦加熱室および加熱室形成体の一方に導くことによって、噴射液の粘度を低下させることができる。これによって単位時間あたりの噴射量への、容器内の噴射液の粘度を影響を抑制し、単位時間あたりの噴射量をほぼ一定にすることができ、一定時間、霧を噴射することによって、ほぼ一定の霧を噴射することができる。したがって雰囲気温度が低い状況下でも霧の噴射量が不足することを防止できる。しかも輸送管路の一部を、霧化のための部分よりも上流側で加熱室および加熱室形成体の一方を通過させるだけの簡単な構成で、霧の噴射量の低下を防止することができる。つまり別途に容器を保温する手段を設けるなどの構成の複雑化を防ぎ、簡単かつ小形の構成で、雰囲気温度に拘わらず、安定した噴射量の霧を噴射することができる。
【００１４】
好ましくは、容器側の管路部は、加熱室形成体に導かれ、これによって噴射液が高温になり過ぎることを防止することができる。また加熱室までの距離を選ぶことによって、噴射液の温度を設定することが可能であり、最適温度にすることができる。
【００１５】
また本発明は、外部空間との間の熱の移動が抑制される第１空間、および外部空間との間の熱の移動が容易である第２空間が形成されるハウジングと、
第１空間に配置され、噴射液が収容される容器と、
第１空間に配置され、加熱室を有し、加熱室で噴射液を霧化するように加熱する加熱手段と、
第１空間に配置され、容器に収容される噴射液を、加熱室を通過させて噴射口から噴射させる噴射手段と、
第２空間に配置され、予め定める噴射条件を満たしたとき、予め設定される噴射時間にわたって噴射液を噴射するように、噴射手段を制御する制御手段とを含むことを特徴とする霧噴射装置である。
【００１６】
本発明に従えば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。容器は、加熱手段および噴射手段とともに、ハウジングにおける熱の移動が抑制された第１空間に配置されており、容器内の噴射液は、雰囲気温度の影響を受けにくい。さらに熱源となり得る加熱手段および噴射手段とともに配置されており、噴射液の粘度が高くなることが抑制される。これによって噴射液の粘度の変化を抑制し、単位時間あたりの噴射量をほぼ一定にすることができ、一定時間、霧を噴射することによって、ほぼ一定の霧を噴射することができる。したがって雰囲気温度が低い状況下でも霧の噴射量が不足することを防止できる。しかもハウジングは、各手段の損傷を防ぐなどの目的で用いられるものであり、不可欠構成である。このように別途に容器を保温する手段を設けるなどの構成の複雑化を防ぎ、簡単かつ小形の構成で、雰囲気温度に拘わらず、安定した噴射量の霧を噴射することができる。またハウジング全体を熱の出入が抑制される構成にするのではなく、制御手段が配置される第２空間は、熱の出入を容易にしているので、制御手段の熱暴走などの誤動作を防ぎ、かつ前述の効果を達成することができる。
【００１７】
また本発明は、噴射液が収容される容器と、
加熱室を有し、加熱室で噴射液を霧化するように加熱する加熱手段と、
容器に収容される噴射液を、加熱室を通過させて噴射口から噴射させる噴射手段と、
予め定める噴射条件を満たしたとき、予め設定される噴射時間にわたって噴射液を噴射するように、噴射手段を制御する制御手段と、
セラミックヒータを用いて構成され、容器内の噴射液を保温する保温手段とを含むことを特徴とする霧噴射装置である。
【００１８】
本発明に従えば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。容器を保温する保温器は、セラッミクヒータを用いて構成されている。容器内の噴射液は、雰囲気温度に依存して温度が変化することなく、粘度が変化することがない。これによって一定時間、霧を噴射することによって、ほぼ一定の霧を噴射することができる。したがって雰囲気温度が低い状況下でも霧の噴射量が不足することを防止できる。セラミックヒータは、自己温度制御形のヒータであり、保温温度を制御するためのセンサおよび制御手段などを別途に設ける必要がない。したがって他のヒータを用いる場合に比べて、容器内の噴射液の温度を保温するための構成を簡単にすることができる。つまり簡単かつ小形の構成で、雰囲気温度に拘わらず、安定した噴射量の霧を噴射することができる。
【００１９】
【発明の実施の形態】
図１は、本発明の実施の一形態の霧噴射装置１を示す断面図である。図２は、霧噴射装置を示すブロック図である。図３は、霧噴射装置１の設置状態を示す斜視図である。霧噴射装置１は、予め定める所定の区域に霧を噴射する装置であり、たとえば警戒区域２に異常が発生したときに、警戒区域２に霧を噴射して視程を低下させる防犯装置として用いられる。
【００２０】
警戒区域２は、たとえば壁および天井板などに囲まれて形成されてもよく、たとえば建物の一室であり、さらに具体例を挙げると、金銭、貴重品および高価な品物などを保管および取扱う場所、たとえば銀行の予め定める部屋であってもよいし、現金自動支払機（ＡＴＭ）などの設置室であってもよい。もちろん警戒区域２は、前記の場所に限らず、利用者が任意に決定することができ、たとえば一般の住宅の部屋などであってもよい。
【００２１】
この霧噴射装置１は、装置本体３と、異常検出器４とを有し、異常検出器４によって異常を検出すると、装置本体３によって霧を噴射する。装置本体３は、たとえば警戒区域２に臨む床上に設置される。この装置本体３は、ハウジング５と、容器６と、加熱器７と、噴射器８と、温度検出器９と、制御基板１０とを有する。異常検出器４は、たとえば警戒区域２に臨む壁に設置される。この異常検出器は、ケーシング内にセンサが収納されて構成される。
【００２２】
ハウジング５は、たとえば金属製であり、略直方体状の筐体である。このハウジング５は、内方に収納空間１１が形成され、容器６、加熱器７、噴射器８および制御基板１０が収納される。またハウジングには、一側部に内外方向に貫通する噴射孔１２が形成されている。この噴射孔１２は、警戒区域２に臨んで開口している。
【００２３】
容器６は、噴射液１３を収容する容器であり、少なくとも１回の噴射動作によって噴射すべき噴射量以上の噴射液１３が収容される。この容器６は、容器本体１４と蓋体１５とを有し、容器本体１４はた、とえば合成樹脂から成り、蓋体１５は、たとえば金属から成る。
【００２４】
容器本体１４は、有底筒状であり、開放端部１６に外ねじが刻設されている。蓋体１５は、前記容器本体１６の開放端部１６の外ねじに螺合する内ねじが刻設されている。この蓋体１５は、容器本体１４の開放端部１６に着脱自在に螺着される。
【００２５】
このように容器６は開閉自在に構成されている。霧噴射装置１を一度用いた後に、再度用いる場合などに、噴射液１３を補充することができる。
【００２６】
噴射液１３は、人体への影響がない液体であって、かつ加熱されることによって霧化される液体である。噴射液１３は、本実施の形態では、たとえばプロピレングリコールとトリエチレングリコールと水とを混合した混合液が用いられるが、これに限定されることはない。
【００２７】
加熱器７は、噴射液１３を加熱して霧化するための加熱手段であり、加熱室２０を有し、加熱室２０の温度が、噴射液１３を霧化可能な第１設定温度に保持されている。この加熱器７は、加熱室形成体１８と発熱体１９とを有する。
【００２８】
加熱室形成体１８は、略直方体状の筐体であり、内方に加熱室２０が形成される。加熱室形成体１８は、本実施の形態では、たとえば断熱材から成る。発熱体１９は、外部から与えられるエネルギを熱エネルギに変換して発熱する発熱部２１を有するヒータであり、発熱部２１が加熱室２０に配置されて設けられる。発熱体１９は、本実施の形態では、長手棒状のヒータであり、たとえば電力が与えられることによって発熱する電気ヒータである。このような加熱器７は、加熱室２０で噴射液１３を加熱する。
【００２９】
噴射器８は、容器６に収容される噴射液１３を、加熱室２０を通過させて噴射口２２から噴射させる噴射手段である。この噴射器８は、容器６から噴射口２２まで噴射液１３を導くための輸送管路２３と、容器６から噴射液１３を吸込んで噴射口２２に向けて吐出するポンプ２４とを有する。
【００３０】
輸送管路２３の中途部に、ポンプ２４が介在されて設けられ、輸送管路２３は、ポンプ２４よりも容器６側の管路部（以下「容器側管路部」という）２５と、ポンプ２４よりも噴射口２２側の管路部（以下「噴射口側管路部」という）２６とを有する。各管路部２５，２６は、たとえば金属から成る。
【００３１】
容器側管路部２５は、容器６の蓋体１５を挿通して設けられ、一端部２７が、容器６に挿入されて噴射液１３に浸漬させている。この容器側管路部２５の他端部２８は、ポンプ２４に接続されている。
【００３２】
噴射口側管路部２６は、加熱室２０を通過するように、加熱器７を挿通して設けられる。噴射口側管路部２６は、加熱室２０に配置される部分によって、噴射液１３が霧化される霧化部分３５が構成される。霧化部分３５は、発熱体１９の周囲を旋回するように螺旋状に巻回されて構成され、噴射液１３が加熱室２０で確実に加熱されて霧化される。この噴射口側管路部２６の一端部２９は、ポンプ２４に接続され、他端部３０に噴射口２２が形成されている。噴射口２２は、噴射孔１２を介してハウジング５外に臨むように配置されている。
【００３３】
ポンプ２４は、吸入ポート３３から流体を吸入して吐出ポート３４から吐出する輸送源であり、たとえば電力によって駆動され、流体を圧送することができる。このポンプ２４の吸入ポート３３に、容器側管路部２５の他端部２８が接続され、吐出ポート３４に噴射口側管路部２６の一端部２９が接続される。ポンプ２４は、たとえば電動ポンプである。
【００３４】
噴射器８は、容器６の噴射液１３を、ポンプ２４の駆動力で、汲み上げ、輸送管路２３を介して噴射口２２に輸送する。噴射器８は、このようにして噴射口２２から噴射液１３を噴射する。
【００３５】
温度検出器９は、加熱室２０の温度を検出する温度検出手段である。この温度検出器９は、感温部が加熱室２０に配置され、加熱室２０の温度を検出し、その検出結果、すなわち検出加熱室温度を制御基板１０に与える。この温度検出器９は、たとえば熱電対などの温度センサを用いて構成される。
【００３６】
制御基板１０は、加熱器７および噴射器８を制御する制御手段である。霧噴射装置１は、電源手段３７をさらに含んでおり、この電源手段３７から電力が制御基板１０に与えられる。制御基板１０は、この電力の加熱器７および噴射器８への供給および供給停止を制御することによって、加熱器７および噴射器８を制御する。電源手段３７は、商用交流電源から交流の電力を取得して直流の電力に変換するアダプタ３８および直流の電力が蓄えられるバッテリ３９を含む。
【００３７】
異常検出器４は、警戒区域２への不審者の侵入、警戒区域２を形成する壁などの区域形成部材の破壊、および警戒区域２に設けられている物品への異常な操作などの異常を検出する。この異常検出器４は、異常を検出すると、異常であることを表す情報を制御機器１０に与える。
【００３８】
この異常検出は、警戒区域２毎に、どのような状態を異常であるとするか、設定することができる。たとえば警戒区域２が、物品の保管場所および住宅の部屋などの場合には、警戒区域２への不審者の侵入または警戒区域２を形成する壁などの区域形成部材の破壊を異常と検出するようにしてもよいし、警戒区域２が現金自動支払機（ＡＴＭ）などの設置場所である場合には、警戒区域２を形成する壁などの区域形成部材の破壊、もしくは警戒区域２に設けられている機器への異常な操作または大きな衝撃を異常と検出するようにしてもよい。異常検出器４を構成するセンサは、人物の存在を検出する人感知センサであってもよいし、窓または出入口の施錠機構が破壊されたことを検知するセンサであってもよいし、窓または出入口が不所望に開かれたことを検出するセンサであってもよいし、機器などの物品に作用する衝撃を検出するセンサであってもよい。
【００３９】
制御基板１０は、異常検出器４によって異常が検出されていない通常時には、加熱室２０が第１設定温度に保持されるように、加熱器７を制御する。具体的に述べると、制御基板１０は、温度検出器９から与えられる検出加熱室温度に基づいて、発熱体１９への駆動電力の供給および供給停止を制御する。第１設定温度は、その温度の加熱室２０を噴射液１３通過することによって、噴射液１３が霧化される温度であり、たとえば２９５℃である。
【００４０】
制御手段１０は、予め定める噴射条件を満たしたとき、本実施の形態では、異常検出器４が異常を検出したとき、すなわち異常時には、加熱室２０の温度が第１設定温度よりも低い第２設定温度に低下するまで噴射液１３を噴射するように、噴射器７を制御する。具体的に述べると、制御基板１０は、異常が検出されると、ポンプ２４に駆動電力を与えて、ポンプ２４の駆動を開始して噴射液１３の噴射を開始する。そして温度検出器９から与えられる検出加熱室温度に基づいて、加熱室２０の温度が第２設定温度に低下するまで、ポンプ２４への駆動電力の供給を継続し、加熱室２０の温度が第２設定温度に低下すると、ポンプ２４への駆動電力の供給を停止して、ポンプ２４の駆動を停止して噴射液１３の噴射を停止する。
【００４１】
第２設定温度は、その温度の加熱室２０を噴射液１３通過することによって、噴射液１３が霧化される温度であり、たとえば２７０℃である。加熱室２０の温度が、第１設定温度と第２設定温度との温度範囲内にある場合には、その加熱室２０を噴射液１３通過することによって、噴射液１３が霧化される。したがって異常が検出されたとき、加熱室２０の温度が第２設定温度に低下するまでの間、霧が警戒区域に噴射される。
【００４２】
図４は、制御基板１０の制御動作を示すフローチャートである。たとえば霧噴射装置１に設けられるスイッチ手段が操作されるなどして、霧噴射装置１が動作可能な初期状態に設定される時点で、ステップｓ０から、制御基板１０による制御動作を開始する。制御動作を開始すると、ステップｓ１の異常判定工程で、異常検出器４からの情報に基づいて、警戒区域２に異常が発生した否かを判定する。異常が発生していないと判定すると、ステップｓ１に戻り、異常が発生していると判定すると、ステップｓ２に進む。このように異常が発生するまで、ステップｓ１の判定を繰り返す。
【００４３】
ステップｓ２では、噴射器８による噴射液１３の噴射を開始するために、ポンプ２４への駆動電力の供給を開始し、ステップｓ３に進む。ステップｓ３では、温度検出器９からの検出加熱室温度に基づいて、加熱室２０の温度が第２設定温度以下であるか否かを判定する。加熱室２０の温度が第２設定温度を超えると判定すると、ステップｓ３に戻り、加熱室２０の温度が第２設定温度以下であると判定すると、ステップｓ４に進む。このように加熱室２０の温度が第２設定温度に下がるまで、つまり第２設定温度以下になるまで、ステップｓ１の判定を繰り返す。
【００４４】
ステップｓ４では、噴射器８による噴射液１３の噴射を停止するために、ポンプ２４への駆動電力の供給を停止し、ステップｓ５に進む。そしてステップｓ５で、一連の制御動作を終了する。
【００４５】
このような一連の動作によって、１回の噴射が実行される。一度、噴射動作が実行された後、初期状態に復帰することによって、再度噴射動作を実行することができる。初期状態への復帰は、前記一連の動作が終了すると、直ちに、または一定時間経過後、復帰するようにしてもよいし、たとえば霧噴射装置に操作入力手段を設けておき、利用者によって操作入力手段が操作されて、初期状態への復帰指令が入力されることによって、復帰するようにしてもよい。
【００４６】
本実施の形態によれば、予め定める噴射条件として、警戒区域２に異常が発生したとき、噴射液１３が加熱されて霧化され、霧が警戒区域２に噴射される。これによって、警戒区域２に異常が発生したときに、警戒区域２の視程を低下させることができる。したがって警戒区域２に不審者などが侵入したとしても、噴射した霧によって警戒区域２の視程を低下させ、盗難および破壊などの行為を実行することを困難にして、盗難および破壊などの後続被害を防ぐことができる。このようにして防犯効果を達成することができる。
【００４７】
さらに通常時、加熱室２０の温度は、第１設定温度に保持されており、予め定める噴射条件を満たしたときから、すなわち異常が発生してから、加熱室２０の温度が第２設定温度に低下するまで、霧が噴射される。これによって容器６に収容されている噴射液１３の粘度に依存して単位時間あたりの噴射量が変化しても、噴射液１３によって一定の熱量が加熱室２０から奪われるまで霧が噴射される。したがって噴射開始から噴射停止までの間に噴射される霧の噴射量をほぼ一定に保つことができ、雰囲気温度が低い状況下でも霧の噴射量が不足することを防止できる。
【００４８】
しかも容器６、加熱器７および噴射器８は、霧噴射装置１に不可欠であることは言うまでもなく、温度検出器９および制御基板１０も、加熱器７による加熱制御および噴射液１３の噴射動作の制御に不可欠な構成であり、このような必要不可欠な手段を用いて、霧の噴射量の低下を防止することができる。つまり別途に容器６を保温する手段を設けるなどの構成の複雑化を防ぎ、簡単かつ小形の構成で、雰囲気温度に拘わらず、安定した噴射量の霧を噴射することができる。
【００４９】
図５は、噴射液１３の温度と噴射量の関係を示すグラフである。図５（１）は、本実施の形態の霧噴射装置１における温度と噴射量の関係を示す。つまり図５（１）は、加熱室２０の温度が一定温度（２９５℃から２７０℃に）低下するまでポンプ２４を駆動して霧を噴射した場合の関係を示す。図５（２）は、噴射液１３の温度に対する対策が講じられていない装置で一定時間噴射した場合の温度と噴射量の関係を示す。つまり図５（２）は、ポンプ２４を一定時間（２５秒）駆動して霧を噴射した場合の関係を示す。
【００５０】
表１は、本実施の形態の霧噴射装置１における温度と噴射量の関係を示す。
【００５１】
【表１】
2004321999.tif 000003
【００５２】
表２は、噴射液１３の温度に対する対策が講じられていない装置で一定時間噴射した場合の温度と噴射量の関係を示す。
【００５３】
【表２】
2004321999.tif 000004
【００５４】
図５（２）および表２に示すように、噴射液１３の温度に対する対策を講じることなく、一定時間、噴射液を噴射する場合には、噴射液１３の温度が低くなるにつれて、噴射量が大きく低下してしまう。これに対して、図５（１）および表１に示すように、本実施の形態のように、噴射時間ではなく、加熱室２０から奪われる熱量が一定になるように噴射することによって、単位噴射量あたりの吸熱量の差異によって多少の減少傾向が見られるものの、噴射液１３の温度が低くなっても、噴射量の低下を防ぎ、安定した噴射量で噴射液１３を噴射できることがわかる。
【００５５】
図６は、本発明の実施の他の形態の霧噴射装置１Ａを示す断面図である。図６の霧噴射装置１Ａは、図１〜図５の霧噴射装置１と類似しており、異なる構成についてだけ説明し、同様の構成は同一の符号を付し説明を省略する。図６の霧噴射装置１Ａでは、容器６は、容器本体１４および蓋体１５が熱伝導率が高く、耐熱性の高い材料、たとえば金属材料から成る。この容器６は、加熱器７の加熱室２０および加熱室形成体１８のいずれか一方に配置される。本実施の形態では、容器６は、加熱室形成体１８内部に埋込まれるように設けられる。さらに詳細を述べると、蓋体１５が加熱室形成体の外方に露出するように、容器本体１４が部分的に埋込まれる状態で設けられる。容器側管路部２５は、蓋体１５を挿通せずに設けられ、一端部２７が容器本体１４の外側から容器本体１４の底部に接続され、容器６内で開口している。制御基板１０は、異常検出器４によって異常が検出されると、一定時間だけモータ２４に駆動電力を与えて、予め定められる一定の噴射時間だけ霧を噴射するように、噴射器７を制御する。
【００５６】
このような構成によって、前述のような防犯効果を同様に達成したうえで、同様に、簡単かつ小形の構成で、雰囲気温度に拘わらず、安定した噴射量の霧を噴射することができる。詳細に説明すると、容器６が、加熱室形成体１８に配置されることによって、噴射液１３が、雰囲気温度に依存して温度が変化することなく、一定の温度に保温された状態となり、粘度が変化することがない。これによって一定時間、霧を噴射することによって、ほぼ一定の霧を噴射することができる。したがって雰囲気温度が低い状況下でも霧の噴射量が不足することを防止できる。しかも加熱器７は不可欠な構成であり、このような必要不可欠な手段を用いて、霧の噴射量の低下を防止することができる。つまり別途に容器を保温する手段を設けるなどの構成の複雑化を防ぎ、簡単かつ小形の構成で、雰囲気温度に拘わらず、安定した噴射量の霧を噴射することができる。
【００５７】
また容器６を加熱室形成体１８内部に設けることによって、容器６内の噴射液１３が高温になりすぎることを防止できる。しかも容器と加熱室２０との距離を選ぶことによって、噴射液１３の温度を設定することができ、取扱いが容易でかつ粘度の低い最適な温度にすることができる。さらに蓋体１５を露出させることによって、噴射液１３の補充を容易にすることができる。
【００５８】
図７は、本発明の実施のさらに他の形態の霧噴射装置１Ｂを示す断面図である。図７の霧噴射装置１Ｂは、図１〜図５の霧噴射装置１と類似しており、異なる構成についてだけ説明し、同様の構成は同一の符号を付し説明を省略する。図７の霧噴射装置１Ｂでは、輸送管路２３の容器側管路部２５が、中途部で加熱室２０および加熱室形成体１８のいずれか一方を通過するように設けられる。本実施の形態では、加熱室２０を通過することなく加熱室形成体１８内部を通過する。また少なくとも容器側管路部２５の容器６から加熱室２０に至るまでの部分、本実施の形態ではこの部だけは、内径が噴射孔側管路部２６の内径より大きく形成されている。さらに容器側管路部２５の加熱室形成体１８内部に埋込まれる部分の内径は、滞留時間を長くするために、残余の部分に比べてさらに大きく形成される。制御基板１０は、異常検出器４によって異常が検出されると、一定時間だけモータ２４に駆動電力を与えて、予め定められる一定の噴射時間だけ霧を噴射するように、噴射器７を制御する。
【００５９】
このような構成によって、前述のような防犯効果を同様に達成したうえで、同様に、簡単かつ小形の構成で、雰囲気温度に拘わらず、安定した噴射量の霧を噴射することができる。詳細に説明すると、容器側管路部２５の加熱室形成体１８までの内径が大きく形成されており、容器内の噴射液の粘度が低くても輸送に対する抵抗を小さくすることができる。このような容器側管路部２５を経て、噴射液１３を一旦加熱室形成体１８に導くことによって、噴射液１３の粘度を低下させることができる。これによって単位時間あたりの噴射量への、噴射液１３の粘度を影響を抑制し、単位時間あたりの噴射量をほぼ一定にすることができ、一定時間、霧を噴射することによって、ほぼ一定の霧を噴射することができる。したがって雰囲気温度が低い状況下でも霧の噴射量が不足することを防止できる。しかも輸送管路２３の一部を、霧化部分よりも上流側で加熱室形成体１８を通過させるだけの簡単な構成で、霧の噴射量の低下を防止することができる。つまり別途に容器６を保温する手段を設けるなどの構成の複雑化を防ぎ、簡単かつ小形の構成で、雰囲気温度に拘わらず、安定した噴射量の霧を噴射することができる。
【００６０】
また容器側管路部２５が加熱室形成体１８内部を通過するように設けられることによって、通過時に噴射液１３が高温になりすぎることを防止できる。しかも、加熱室形成体１８内部の容器側管路部２５と加熱室２０との距離を選ぶことによって、噴射液１３の温度を設定することができ、取扱いが容易でかつ粘度の低い最適な温度にすることができる。
【００６１】
図８は、本発明の実施のさらに他の形態の霧噴射装置１Ｃを示す断面図である。図８の霧噴射装置１Ｃは、図１〜図５の霧噴射装置１と類似しており、異なる構成についてだけ説明し、同様の構成は同一の符号を付し説明を省略する。図８の霧噴射装置１Ｃでは、ハウジング５に仕切壁４０が設けられ、収納空間１１が、第１空間４１と第２空間４２とに仕切られる。第１空間４１は、閉塞されて、外部空間との間の熱の移動が抑制されている。第２空間４２は、通気孔４３を介してハウジング外に開放され、外部空間との間の熱の移動が容易になるように構成されている。容器６、加熱器７、噴射器８および温度検出器９は、第１空間４１に配置され、制御基板１０は、第２空間４２に配置されている。
【００６２】
第１空間４１は、内外の熱の移動が抑制されているとともに、収納される加熱器７、噴射器８および温度検出器９などが熱源となり、第１空間４１の温度が低くなり過ぎることを防ぐことができる。これによって噴射液１３の温度が低くなり過ぎることを防ぐことができる。さらにハウジング５には、シャッター部材４４によって開閉自在であり、第１空間４１をハウジング外に開放する通気孔４５が形成されており、第１空間４１の温度が逆に高くなり過ぎることを防ぐことができる。このようにして第１空間４１の温度をできるだけ一定に保持し、噴射液１３の温度をできるだけ一定に保つことができる。
【００６３】
しかも熱に弱く、放熱性の良い環境に配置すべき制御基板１０は、第１空間４１とは仕切られた第２空間４２に配置されるので、前述のように収納空間１１の一部を、熱の出入が抑制される構成としても、制御基板１０の熱暴走による誤動作などの不具合を生じることがない。また制御基板１０は、異常検出器４によって異常が検出されると、一定時間だけモータ２４に駆動電力を与えて、予め定められる一定の噴射時間だけ霧を噴射するように、噴射器７を制御する。
【００６４】
このような構成によって、前述のような防犯効果を同様に達成したうえで、同様に、簡単かつ小形の構成で、雰囲気温度に拘わらず、安定した噴射量の霧を噴射することができる。詳細に説明すると、前述のように容器６が第１空間４１に配置されて、噴射液１３が、雰囲気温度の影響を受けにくい。これによって噴射液１３の粘度の変化を抑制し、単位時間あたりの噴射量をほぼ一定にすることができ、一定時間、霧を噴射することによって、ほぼ一定の霧を噴射することができる。したがって雰囲気温度が低い状況下でも霧の噴射量が不足することを防止できる。しかもハウジングは、各手段の損傷を防ぐなどの目的で用いられるものであり、不可欠構成である。このように別途に容器を保温する手段を設けるなどの構成の複雑化を防ぎ、簡単かつ小形の構成で、雰囲気温度に拘わらず、安定した噴射量の霧を噴射することができる。
【００６５】
図９は、本発明の実施のさらに他の形態の霧噴射装置１Ｄを示す断面図である。図９の霧噴射装置１Ｄは、図１〜図５の霧噴射装置１と類似しており、異なる構成についてだけ説明し、同様の構成は同一の符号を付し説明を省略する。図９の霧噴射装置１Ｃでは、セラミックヒータを用いて構成され、容器６に収容される噴射液１３を保温する保温器４７が設けられる。保温手段である保温器４７は、駆動電力が与えられることによって発熱する手段であり、自己の温度によって電気抵抗が変化して、一定の温度に加熱することができる自己温度制御形のヒータである。制御基板１０は、保温器４７に駆動電力を与えて、保温器４７を駆動する。また制御基板１０は、異常検出器４によって異常が検出されると、一定時間だけモータ２４に駆動電力を与えて、予め定められる一定の噴射時間だけ霧を噴射するように、噴射器７を制御する。
【００６６】
このような構成によって、前述のような防犯効果を同様に達成したうえで、同様に、簡単かつ小形の構成で、雰囲気温度に拘わらず、安定した噴射量の霧を噴射することができる。詳細に説明すると、容器６内の噴射液１３は、保温器４７で保温され、雰囲気温度に依存して温度が変化することなく、粘度が変化することがない。これによって一定時間、霧を噴射することによって、ほぼ一定の霧を噴射することができる。したがって雰囲気温度が低い状況下でも霧の噴射量が不足することを防止できる。さらに噴射液１３を保温する保温器４７は、前述のように自己温度制御形のヒータであり、保温温度を制御するためのセンサおよび制御手段などを別途に設ける必要がない。したがって他のヒータを用いる場合に比べて、容器内の噴射液の温度を保温するための構成を簡単にすることができる。つまり簡単かつ小形の構成で、雰囲気温度に拘わらず、安定した噴射量の霧を噴射することができる。
【００６７】
前述の各実施の形態は、本発明の例示に過ぎず、本発明の範囲内において構成を変更することができる。たとえば霧噴射装置１〜１Ａは、前述のような防犯対策以外の目的で用いられてもよい。たとえばイベントでの演出として、霧を噴射するために用いるようにしてもよい。この場合、たとえば霧噴射装置に操作入力手段を設けておき、利用者によって操作入力手段が操作されて、噴射指令が入力されることを、噴射条件として、制御手段で噴射開始するように制御してもよい。また演出効果に用いる場合においても、照度などの環境を、噴射条件にし、前記環境を検出する手段を設けて、この検出結果に基づいて、制御手段で噴射開始するように制御してもよい。
【００６８】
また図６の変形側として容器を加熱室に配置するようにしてもよい。また図７の変形側として、容器側の管路部が加熱室を通過するようにしてもよい。この場合、容器側の管路部が加熱室形成体を通過してもよいことは言うまでもない。
【００６９】
【発明の効果】
本発明によれば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。加熱室の温度は第１設定温度に保持されており、噴射手段は、予め定める噴射条件を満たしたときから、加熱室の温度が第２設定温度に低下するまで、噴射液の霧を噴射するように、制御手段によって制御される。これによって容器内の噴射液の粘度に依存して単位時間あたりの噴射量が変化しても、噴射液によって一定の熱量が加熱室から奪われるまで、噴射液の霧が噴射され、噴射開始から噴射停止までの間に噴射される霧の噴射量をほぼ一定に保つことができる。したがって雰囲気温度が低い状況下でも霧の噴射量が不足することを防止できる。しかも容器、加熱手段および噴射手段は、霧噴射装置に不可欠であることは言うまでもなく、温度検出手段および制御手段も、加熱手段による加熱制御および噴射液の噴射動作の制御に不可欠な構成であり、このような必要不可欠な手段を用いて、霧の噴射量の低下を防止することができる。つまり別途に容器を保温する手段を設けるなどの構成の複雑化を防ぎ、簡単かつ小形の構成で、雰囲気温度に拘わらず、安定した噴射量の霧を噴射することができる。
【００７０】
本発明によれば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。容器は、加熱室および加熱室形成体のいずれか一方に配置されており、容器内の噴射液は、雰囲気温度に依存して温度が変化することなく、粘度が変化することがない。これによって一定時間、霧を噴射することによって、ほぼ一定の霧を噴射することができる。したがって雰囲気温度が低い状況下でも霧の噴射量が不足することを防止できる。しかも加熱手段は不可欠な構成であり、このような必要不可欠な手段を用いて、霧の噴射量の低下を防止することができる。つまり別途に容器を保温する手段を設けるなどの構成の複雑化を防ぎ、簡単かつ小形の構成で、雰囲気温度に拘わらず、安定した噴射量の霧を噴射することができる。
【００７１】
好ましくは、容器は、加熱室形成体に設けられ、これによって噴射液が高温になり過ぎることを防止することができる。また加熱室からの距離を選ぶことによって、噴射液の温度を設定することが可能であり、最適温度にすることができる。
【００７２】
本発明によれば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。噴射手段を構成する輸送管路は、輸送源よりも容器側の管路部の少なくとも容器寄りの部分の内径が大きく形成されており、容器内の噴射液の粘度が低くても輸送に対する抵抗を小さくすることができる。このような容器側の管路部を経て、噴射液を一旦加熱室および加熱室形成体の一方に導くことによって、噴射液の粘度を低下させることができる。これによって単位時間あたりの噴射量への、容器内の噴射液の粘度を影響を抑制し、単位時間あたりの噴射量をほぼ一定にすることができ、一定時間、霧を噴射することによって、ほぼ一定の霧を噴射することができる。したがって雰囲気温度が低い状況下でも霧の噴射量が不足することを防止できる。しかも輸送管路の一部を、霧化のための部分よりも上流側で加熱室および加熱室形成体の一方を通過させるだけの簡単な構成で、霧の噴射量の低下を防止することができる。つまり別途に容器を保温する手段を設けるなどの構成の複雑化を防ぎ、簡単かつ小形の構成で、雰囲気温度に拘わらず、安定した噴射量の霧を噴射することができる。
【００７３】
好ましくは、容器側の管路部は、加熱室形成体に導かれ、これによって噴射液が高温になり過ぎることを防止することができる。また加熱室までの距離を選ぶことによって、噴射液の温度を設定することが可能であり、最適温度にすることができる。
【００７４】
本発明によれば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。容器は、加熱手段および噴射手段とともに、ハウジングにおける熱の移動が抑制された第１空間に配置されており、容器内の噴射液は、雰囲気温度の影響を受けにくい。さらに熱源となり得る加熱手段および噴射手段とともに配置されており、噴射液の粘度が高くなることが抑制される。これによって噴射液の粘度の変化を抑制し、単位時間あたりの噴射量をほぼ一定にすることができ、一定時間、霧を噴射することによって、ほぼ一定の霧を噴射することができる。したがって雰囲気温度が低い状況下でも霧の噴射量が不足することを防止できる。しかもハウジングは、各手段の損傷を防ぐなどの目的で用いられるものであり、不可欠構成である。このように別途に容器を保温する手段を設けるなどの構成の複雑化を防ぎ、簡単かつ小形の構成で、雰囲気温度に拘わらず、安定した噴射量の霧を噴射することができる。またハウジング全体を熱の出入が抑制される構成にするのではなく、制御手段が配置される第２空間は、熱の出入を容易にしているので、制御手段の熱暴走などの誤動作を防ぎ、かつ前述の効果を達成することができる。
【００７５】
本発明によれば、容器に収容される噴射液が、噴射手段によって噴射口から噴射される。噴射液は、容器から噴射口に到達する前に、加熱室を通過し、加熱室で加熱されて霧化される。これによって噴射液は霧化され、噴射液の霧が噴射される。容器を保温する保温器は、セラッミクヒータを用いて構成されている。容器内の噴射液は、雰囲気温度に依存して温度が変化することなく、粘度が変化することがない。これによって一定時間、霧を噴射することによって、ほぼ一定の霧を噴射することができる。したがって雰囲気温度が低い状況下でも霧の噴射量が不足することを防止できる。セラミックヒータは、自己温度制御形のヒータであり、保温温度を制御するためのセンサおよび制御手段などを別途に設ける必要がない。したがって他のヒータを用いる場合に比べて、容器内の噴射液の温度を保温するための構成を簡単にすることができる。つまり簡単かつ小形の構成で、雰囲気温度に拘わらず、安定した噴射量の霧を噴射することができる。
【図面の簡単な説明】
【図１】本発明の実施の一形態の霧噴射装置１を示す断面図である。
【図２】霧噴射装置を示すブロック図である。
【図３】霧噴射装置１の設置状態を示す斜視図である。
【図４】制御基板１０の制御動作を示すフローチャートである。
【図５】噴射液１３の温度と噴射量の関係を示すグラフである。
【図６】本発明の実施の他の形態の霧噴射装置１Ａを示す断面図である。
【図７】本発明の実施のさらに他の形態の霧噴射装置１Ｂを示す断面図である。
【図８】本発明の実施のさらに他の形態の霧噴射装置１Ｃを示す断面図である。
【図９】本発明の実施のさらに他の形態の霧噴射装置１Ｄを示す断面図である。
【符号の説明】
１  霧噴射装置
２  警戒区域
３  装置本体
４  異常検出器
５  ハウジング
６  容器
７  加熱器
８  噴射器
９  温度検出器
１０  制御基板
１１  収納空間
１３  噴射液
１９  発熱体
２０  加熱室
２２  噴射口
２３  輸送管路
２４  ポンプ
４１  第１空間
４２  第２空間
【図１】
2004321999.tif 000005
【図２】
2004321999.tif 000006
【図３】
2004321999.tif 000007
【図４】
2004321999.tif 000008
【図５】
2004321999.tif 000009
【図６】
2004321999.tif 000010
【図７】
2004321999.tif 000011
【図８】
2004321999.tif 000012
【図９】
2004321999.tif 000013